(57)【要約】【課題】メモ用紙の記入欄に記入した事項が処理済みになったことを一見するだけで明確に特定でき、しかも、識別標示体の状態をより簡単な操作で変更できる、使い勝手に優れたメモパッドを提供する。【解決手段】多数枚のメモ用紙１を積層し、積層されたメモ用紙１をひとつの辺部において一体化する。メモ用紙１には、記入欄７ごとに罫線８を表示し、さらに、一定数の記入欄７ごとに罫線８と平行なミシン目９を形成してメモ片１０を区分する。各記入欄７の側端に、切込み１１で区分される識別タブ１２を形成する。識別タブ１２の先端縁に、先すぼまり状の指掛部１３を形成する。識別タブ１２を折曲げることにより、記入欄７に記入されたメモの内容に関連する事項が処理済みであることを標示できるようにする。【選択図】図１
2012250408.tif 000002
【特許請求の範囲】
【請求項１】
多数枚のメモ用紙（１）を積層し、積層されたメモ用紙（１）がひとつの辺部において一体化してあるメモパッドであって、
メモ用紙（１）には、記入欄（７）ごとに罫線（８）が表示されており、
各記入欄（７）の側端に、切込み（１１）で区分される識別タブ（１２）が形成されており、
識別タブ（１２）を折曲げることにより、記入欄（７）に記入されたメモの内容に関連する事項が処理済みであることを標示できるメモパッド。
【請求項２】
一定数の記入欄（７）ごとに罫線（８）と平行なミシン目（９）ないし切込みを形成してメモ片（１０）が区分してある請求項１に記載のメモパッド。
【請求項３】
識別タブ（１２）の先端縁に、先すぼまり状の指掛部（１３）が形成してある請求項１または２に記載のメモパッド。
【請求項４】
識別タブ（１２）が着色されており、各メモ片（１０）ごとに識別タブ（１２）の色が異ならせてある請求項１から３のいずれかひとつに記載のメモパッド。
【発明の詳細な説明】
【技術分野】
【０００１】
本発明は、メモ用紙が多数枚積層してあるメモパッドに関する。
【背景技術】
【０００２】
本発明のメモパッドに関して、次のようなメモパッドが公知である。特許文献１には、四角形状のメモ用紙の一辺を接着剤で接着して積層したメモパッドが開示してある。メモ用紙には、接着した辺部の近傍から対向辺部にわたって切込みを形成して複数の記入欄が設けてある。特許文献２には、四角形状のメモ用紙の一辺を易剥離性の粘着材で接着して積層し、先の辺部と対向する遊端側の辺部に山形のノッチを形成したメモパッドが開示してある。ノッチは先の切込みに変わるものであり、用済みの記入欄を破断するために設けてある。
【０００３】
特許文献３には、積層したメモ用紙の背を糊付けして固定し、背の近傍に用済みの記入欄を破断するためのミシン目が形成してある。また、メモ用紙には、先のミシン目とは別に、記入欄を区分するためのミシン目と、各記入欄の遊端に裂き取り領域を形成するためのミシン目とが形成してある。裂き取り領域は、記入欄に書き込んだメモの優先度を識別するために設けてあり、裂き取り領域を破断することで、記入したメモの内容がさほど重要ではないことを標示できる。
【先行技術文献】
【特許文献】
【０００４】
【特許文献１】実開平０３−４５１７０号公報（第２頁１４〜２２行、図１）
【特許文献２】実開平０６−２７１７３号公報（段落番号００１２、図３）
【特許文献３】特表平１１−５０８５０４号公報（第４頁１３〜２３行、図２）
【発明の概要】
【発明が解決しようとする課題】
【０００５】
特許文献１、２のメモパッドは、それぞれ用済みの記入欄をミシン目に沿って破断し、あるいは用済みの記入欄に連続するノッチを摘んで記入欄を引き裂くことにより、メモ用紙に記入した情報を廃棄し、記入欄を更新できる。しかし、多数個の記入欄にメモを記入した状態では、どの記入欄に記入した情報が用済みになったかを、一見するだけで特定することができない。そのため、例えばスーパーマーケットで多種類の食材や日用品を購入する場合に、野菜、鮮魚、精肉、乾物などが陳列してある各売り場を移動する間に、メモ用紙に記入したメモの内容を全て読み直して、必要とする商品を買物籠に取り込んだか否かを確認する必要がある。
【０００６】
その点、特許文献３のメモパッドでは、各記入欄の遊端に設けた裂き取り領域を破断することで、用済みになった情報を標示することができる。しかし、裂き取り領域を破断するには、裂き取り領域の３辺に沿ってミシン目を破断する必要があるうえ、隣接する裂き取り領域を破断しないように注意を払う必要があり、裂き取り領域を破断する作業が煩わしい。また、裂き取り領域を破断したとしても、下側に位置する同色の新たな裂き取り領域が視認されるため、照明が不十分な場所において、裂き取り領域が破断してあるか否かを見間違うおそれがある。さらに、購入すべき商品の種類が多岐に渡る場合には、多数枚の破断された裂き取り領域を一時的に保存したうえで廃棄する必要があり、その処分に困る。
【０００７】
本発明の目的は、メモ用紙の記入欄に記入した事項が処理済みになったことを一見するだけで明確に特定でき、しかも、識別標示体の状態をより簡単な操作で変更できる、使い勝手に優れたメモパッドを提供することにある。
【課題を解決するための手段】
【０００８】
本発明のメモパッドは、多数枚のメモ用紙１を積層し、積層されたメモ用紙１がひとつの辺部において一体化してある。メモ用紙１には、記入欄７ごとに罫線８が表示され、一定数の記入欄７ごとに罫線８と平行なミシン目９を形成してメモ片１０が区分してある。各記入欄７の側端に、切込み１１で区分される識別タブ１２を形成する。識別タブ１２を折曲げることにより、記入欄７に記入されたメモの内容に関連する事項が処理済みであることを標示できることを特徴とする。
【０００９】
一定数の記入欄７ごとに罫線８と平行なミシン目９ないし切込みを形成してメモ片１０を区分する。
【００１０】
識別タブ１２の先端縁に、先すぼまり状の指掛部１３を形成する。
【００１１】
識別タブ１２は着色されており、各メモ片１０ごとに識別タブ１２の色を異ならせる。
【発明の効果】
【００１２】
本発明においては、メモ用紙１の記入欄７ごとに罫線８を設け、各記入欄７の側端に、切込み１１で区分される識別タブ１２を形成して、識別タブ１２を折曲げることにより、記入欄７に記入されたメモの内容に関連する事項が処理済みであることを標示できるようにした。このように、各記入欄７ごとに折曲げ可能な識別タブ１２を設けたメモパッドによれば、記入欄７に記入されたメモの内容に関連する事項を処理するごとに、識別タブ１２を折曲げることにより、処理済みになった事項を一見するだけで特定できる。
【００１３】
例えば、スーパーマーケットで多種類の食材や日用品を購入する場合に、識別タブ１２が折曲げてあるか否かを確認するだけで、必要とする商品を買物籠に取り込んだか否かを識別できる。従って、メモ用紙１に記入したメモの内容を全て読み直しながら、必要とする商品を買物籠に取り込んだか否かを確認する煩わしさを解消できるうえ、買い忘れを確実に防止できる。また、識別タブ１２を折曲げることにより、メモ用紙１の記入欄７に記入した事項が処理済みになったことを標示するので、裂き取り領域を破断する必要があった従来のメモパッドに比べて、識別タブ１２の姿勢をより簡単に変更することができ、メモパッドの使い勝手を向上できる。さらに、識別タブ１２を折曲げるだけであるので、分断したメモ片１０ごと廃棄すればよく、その処分に困ることもない。
【００１４】
一定数の記入欄７ごとに罫線８と平行なミシン目９ないし切込みを形成してメモ片１０を区分すると、記入欄７に記入されたメモの量に応じて、必要なメモ片１０のみをメモ用紙１から分離して携行できる。従って、常にメモパッドの全体を携行する必要がないうえ、メモ片１０を財布に収容し、あるいは手帳に挟むなど、携行スペースを必要としない状態で手軽に携行できる。
【００１５】
識別タブ１２の先端縁に、先すぼまり状の指掛部１３が形成してあるメモパッドによれば、ひとつの識別タブ１２に指先をあてがって折曲げるとき、指先が隣接する識別タブ１２に接触するのを防止できる。従って、隣接する識別タブ１２が同時に折り曲げられるのを防止して、ひとつの識別タブ１２のみを的確に、しかも容易に折曲げることができる。
【００１６】
識別タブ１２を着色すると、記入欄７と識別タブ１２の色が同じである場合に比べて、記入欄７と識別タブ１２との色の違いを明確にして、識別タブ１２が折り曲げてあるか否かの判定をさらに明確に行うことができる。従って、照明が不十分な場所であっても、識別タブ１２の状態を明確に識別できる。また、各メモ片１０ごとに識別タブ１２の色が異ならせてあると、記入すべき全事項のうち、共通する事項をグループ化して、各グループごとに色の異なるメモ片１０に記載することができる。これにより、記入した事項の重要度や優先度、あるいは処理すべき順番などを識別タブ１２の色の違いによって表示でき、処理すべき事項の処理を効果的に行なうことができる。
【図面の簡単な説明】
【００１７】
【図１】本発明に係るメモ用紙の平面図である。
【図２】本発明に係るメモパッドの斜視図である。
【図３】カバーの背部分の縦断側面図である。
【図４】メモ用紙の使用例を示す平面図である。
【図５】識別タブの折曲げ状態を示す平面図である。
【図６】指掛部の別の実施例を示す平面図である。
【発明を実施するための形態】
【００１８】
（実施例）  図１ないし図５は本発明に係るメモパッドの実施例を示す。図２においてメモパッドは、縦に長い長方形状のメモ用紙１を多数枚積層して構成してあり、積層されたメモ用紙１の外面はカバー２で覆ってある。メモ用紙１は、一方の短辺部がカバー２の背部分３の内面に糊付け（接着）されており、必要に応じて１枚ずつ剥ぎ取ることができる。つまり、積層されたメモ用紙１はひとつの辺部において一体化してある。糊付け部分を図３に符号６で示す。
【００１９】
カバー２は、透明なプラスチック材で形成してあり、積層されたメモ用紙１の底面を支持する裏面４と、先の背部分３と、メモ用紙１の上面を覆う表紙面５とを一体に備えている。裏面４は、メモ用紙１を裏面側から支持する台紙として機能しており、例えば、メモパッドを片手に持った状態でメモ用紙１に必要な事項を記入するときに、メモパッドの全体を安定した状態で平坦に支持することができる。表紙面５は、背部分３との隣接縁を中心にして開閉でき、メモ用紙１に被さった状態のままで、メモ用紙１に記入された事項を読むことができる。また、表紙面５を反転状に開放することにより、メモ用紙１に文字や数字などを記入することができる。
【００２０】
上記のように、積層されたメモ用紙１の外面を透明のカバー２で覆うと、不使用時のメモ用紙１をカバー２で保護して、記入欄７が汚れたり、捲れて折曲がるのを防止できる。また、カバー２の背部分３にメモ用紙１を接着して積層することにより、使用途中にメモ用紙１が外力を受けて、複数の積層ブロックに分離するのを防止して、最後の一枚まで積層姿勢を整然と維持でき、メモ用紙１が無駄に消費されるのを解消できる。
【００２１】
メモ用紙１の紙面には、記入欄７ごとに短辺部と平行な罫線８が印刷してあり、５個の記入欄７ごとに罫線８と平行なミシン目９が形成してある。ミシン目９を設けることにより、メモ用紙１の紙面の６個所に横長のメモ片１０が区分される。ミシン目９に沿ってメモ用紙１を破断すると、５行の記入欄７を備えたメモ片１０をメモ用紙１から分離することができる。各記入欄７の側端には切込み１１が形成してあり、各切込み１１の間に識別タブ１２（識別標示体）が形成してある。この識別タブ１２を折曲げることにより、記入欄７に記入されたメモの内容に関連する事項が処理済みであることを標示できる。
【００２２】
識別タブ１２による標示をより明確なものとするために、識別タブ１２は着色されており、各メモ片１０ごとに識別タブ１２の色が異ならせてある。例えば、カバー２の背部分３に近い側のメモ片１０から順に、識別タブ１２が赤、橙、黄橙、黄、黄緑、青緑の各色に着色してある。さらに、各識別タブ１２の先端縁に、先すぼまり状の指掛部１３を形成して、ひとつの識別タブ１２に指先をあてがうとき、指先が隣接する識別タブ１２と接触するのを防止できるようにしている。この実施例では指掛部１３を山形に形成して、ひとつの識別タブ１２のみを的確に、しかも容易に折り曲げられるようにした。
【００２３】
メモパッドを使用するときは、図４に示すように、最上面のメモ用紙１の背部分３からもっとも離れたメモ片１０の記入欄７に必要な事項を記入したのち、文字が記入されたメモ片１０をミシン目９に沿って破断する。たとえば、購入すべき食材の名前を個々の記入欄７に書き込んだのち、文字が記入されたメモ片１０をメモ用紙１から分離して買い物に携行する。野菜が陳列してある売り場では、記入欄７に書き込んだ内容に従ってはくさい、長ねぎ、しいたけを買い物籠に取込んだのち、図５に示すように、取込んだ品物に該当する記入欄７の識別タブ１２を折曲げて、取込み済みの品物であることを標示する。さらに、売り場を移動して、とうふを買い物籠に取込んだのち、該当する記入欄７の識別タブ１２を折曲げて、取込み済みの品物であることを標示する。識別タブ１２は、記入欄７の紙面に対して反転状に折曲げることが好ましいが、少なくとも９０度折曲げてあればよい。
【００２４】
以上のように、商品を取込むごとに識別タブ１２を折曲げることにより、買い物籠に取込んだ商品と、買い物籠に取込まれていない商品とを一見して識別することができ、買い忘れを確実に防止できる。換言すると、メモ用紙１の記入欄７に記入した事項が用済みになったことを一見するだけで特定して、未処理の事項を明確に標示できる。メモパッドは、購入すべき商品のリストを記入する以外に、作業現場において点検すべき個所のリストを記入しておいて、点検が終わるごとに識別タブ１２を折曲げて、未処理の点検個所を明確化するなど、チェックリスト、あるいはトゥドゥ（ＴｏＤｏ）リストとして、学校や工場などで幅広く使用できる。あるいは、会議前に検討課題をリスト化しておき、各課題の検討が終了するごとに識別タブ１２を折曲げて、未処理の検討課題を明確化することにも使用できる。
【００２５】
図６は指掛部１３の別の実施例を示す。図６（ａ）においては、指掛部１３を等脚台形状に形成した。また、図６（ｂ）においては、指掛部１３を半円状に形成した。このように、指掛部１３は先すぼまり形状であれば、任意の形状に形成することができ、例えば、鋸刃形状、三角形状などに形成することができる。
【００２６】
上記の実施例では、識別タブ１２を折曲げることにより、記入欄７に記入されたメモの内容が処理済みであることを標示できるようにしたが、その必要はない。識別タブ１２の全てを予め折り曲げておき、記入欄７に記入されたメモの内容が処理済みとなるごとに、識別タブ１２を記入欄７と面一になるように展開してもよい。また、識別タブ１２における指掛部１３を省略して、識別タブ１２の外形をコ字状に形成することができる。さらに、指掛部１３が省略された識別タブ１２において、識別タブ１２の折曲げ基端から側端までの長さを大小に異ならせて、長寸の識別タブ１２と短寸の識別タブ１２とを交互に配置することができる。識別タブ１２の折曲げ基端に、折曲げを容易化するためのくせ付けや、穴、溝、切欠を形成することができる。
【００２７】
メモ用紙１は紙で形成する必要はなく、プラスチック製の合成紙で形成することができる。積層されたメモ用紙１は、糊付けして一体化する以外に、メモ用紙の一辺を易剥離性の粘着材で接着して積層し一体化することができる。さらに必要があれば、カバー２に固定した螺旋状の金属線材あるいはリングで閉じることができ、その場合には、メモ用紙１にパンチ穴を形成しておくとよい。カバー２は透明である必要はなく、紙または不透明なプラスチック材で形成することができる。
【００２８】
図１に例示したメモ用紙１では、識別タブ１２をメモ用紙１の左側の側縁に沿って形成するようにしたが、その必要はなく、識別タブ１２をメモ用紙１の右側の側縁に沿って形成して、右利きの使用者が利き腕側の手の指先で識別タブ１２を折り曲げられるようにしてもよい。また、積層したメモ用紙１は、識別タブ１２と対向する側縁が糊付けしてあってもよい。ミシン目９に換えて切込みを形成してメモ片１０を区分することができる。また、全ての罫線８の形成位置にミシン目９を形成して、個々の記入欄７をミシン目９に沿って分離することができる。識別タブ１２は記入欄７の両側に設けることができる。その場合には、買い物をして帰宅したのち、識別タブ１２を折曲げて、再度記入欄７に記入した事項の後処理を確認するなど、二重にチェックを行うことができる。一端折曲げた識別タグ１２を記入欄７と面一になるように展開することによっても、二重にチェックを行うことができる。さらに、誤って折曲げた識別タグ１２を記入欄７と面一になるように展開することにより、記入欄７に記載された事項を再び未処理扱いとすることができる。例えば、遂行すべき業務一覧が記入されたメモ用紙１に従い、記入欄７に記載された事項を処理する途中に、処理していないにも拘らず識別タグ１２が折曲げてあるのに気付いたような場合に、識別タグ１２を折戻して処理事項を復活させることができる。
【符号の説明】
【００２９】
１  メモ用紙
２  カバー
７  記入欄
８  罫線
９  ミシン目
１０  メモ片
１１  切込み
１２  識別タブ
１３  指掛部
【図１】
2012250408.tif 000003
【図２】
2012250408.tif 000004
【図３】
2012250408.tif 000005
【図４】
2012250408.tif 000006
【図５】
2012250408.tif 000007
【図６】
2012250408.tif 000008